(57)【要約】　　　（修正有）【課題】掛けた布団の通気性を確保して汚れる防止する。【解決手段】壁部２に布団を掛けるための壁掛け型物干し１である。壁部２の内側で布団を壁部から一定間隔を空けて支持する内側部材４と、壁部２の外側で布団を壁部から一定間隔を空けて支持する外側部材５と、壁部２の上側で布団を壁部から一定間隔を空けて支持すると共に内側部材４及び外側部材５と連結される天井部材６と、壁部２に取り付けられて互いに連結された内側部材４、外側部材５及び天井部材６を着脱自在に支持する固定部材７とを備えた。【選択図】　　図１０
0003098076.tif 000002
【実用新案登録請求の範囲】
【請求項１】
壁や手摺り等の壁部に布団やシーツ等の面積の広いものを掛けるための壁掛け型物干しにおいて、
上記壁部の内側に位置して上記布団等を上記壁部の内側面から一定間隔を空けて支持する内側部材と、
上記壁部の外側に位置して上記布団等を上記壁部の外側面から一定間隔を空けて支持する外側部材と、
上記壁部の上側に位置して上記布団等を上記壁部の上側面から一定間隔を空けて支持すると共に上記内側部材及び外側部材と連結される天井部材と、
上記壁部に取り付けられて上記互いに連結された内側部材、外側部材及び天井部材を着脱自在に支持する固定部材と
を備えて構成されたことを特徴とする壁掛け型物干し。
【請求項２】
請求項１に記載の壁掛け型物干しにおいて、
上記天井部材が、上記内側部材及び外側部材に回動可能に連結されたことを特徴とする壁掛け型物干し。
【請求項３】
請求項１又は２に記載の壁掛け型物干しにおいて、
上記内側部材又は外側部材の一方又は両方が、四角形の枠体によって構成されたことを特徴とする壁掛け型物干し。
【請求項４】
請求項１ないし３のいずれか１項に記載の壁掛け型物干しにおいて、
上記内側部材又は外側部材の一方又は両方が、格子又は網を備えて構成されたことを特徴とする壁掛け型物干し。
【請求項５】
請求項１ないし４のいずれか１項に記載の壁掛け型物干しにおいて、
上記天井部材、内側部材又は外側部材のいずれか１又は２以上に、布団等を支持する紐を設けたことを特徴とする壁掛け型物干し。
【請求項６】
請求項５に記載の壁掛け型物干しにおいて、
上記紐が二分割され、その各基端部が上記天井部材、内側部材又は外側部材にそれぞれ固定され、各先端部にバックルが設けられたことを特徴とする壁掛け型物干し。
【請求項７】
請求項１ないし６のいずれか１項に記載の壁掛け型物干しにおいて、
上記固定部材が、上記壁部の内外側面を挟み持つことで壁部に固定される固定金具と、当該固定金具に設けられた嵌合部と、上記内側部材、外側部材又は天井部材のいずれかに設けられて上記嵌合部に着脱自在に嵌合することで上記互いに連結された内側部材、外側部材及び天井部材を上記壁部に取り付ける被嵌合部とを備えて構成されたことを特徴とする壁掛け型物干し。
【請求項８】
請求項７に記載の壁掛け型物干しにおいて、
上記嵌合部が上記被嵌合部に嵌合された状態で、嵌合部が抜けるのを防止する抜け止め用ピンを設けたことを特徴とする壁掛け型物干し。
【請求項９】
請求項７又は８に記載の壁掛け型物干しにおいて、
上記固定金具が、上記壁部の内側面から上側面に掛けられる一側Ｌ字型片と、上記壁部の外側面から上側面に掛けられると共に上側面に位置する部分が上記一側Ｌ字型片と互いに接合される他側Ｌ字型片と、上記壁部の上側面で互いに接合した上記一側Ｌ字型片及び上記他側Ｌ字型片を上記壁部の厚さに合わせて一体的に固定する固定ネジと、上記一側Ｌ字型片又は上記他側Ｌ字型片に支持された状態で上記壁部の内側面又は外側面に圧接する押え部とを備えて構成されたことを特徴とする壁掛け型物干し。
【請求項１０】
請求項９に記載の壁掛け型物干しにおいて、
上記一側Ｌ字型片と他側Ｌ字型片とがスライド可能に接合され、上記壁部の厚さに合わせて一側Ｌ字型片及び他側Ｌ字型片の間隔を調整することを特徴とする壁掛け型物干し。
【請求項１１】
請求項９又は１０に記載の壁掛け型物干しにおいて、
上記押え部が平坦面状の壁面に圧接する平坦面状の圧接板を備えたことを特徴とする壁掛け型物干し。
【請求項１２】
請求項９又は１０に記載の壁掛け型物干しにおいて、
上記押え部が曲面状の壁面に圧接する曲面状の圧接板を備えたことを特徴とする壁掛け型物干し。
【請求項１３】
請求項９ないし１２のいずれか１項に記載の壁掛け型物干しにおいて、
上記一側Ｌ字型片及び他側Ｌ字型片を構成する縦部材及び横部材が異なる寸法に設定され、上記壁部の厚さに合わせて縦横を付け替えることを特徴とする壁掛け型物干し。
【考案の詳細な説明】
【０００１】
【考案の属する技術分野】
この考案は、ベランダの壁等に布団等の面積の広いものを掛けるときに使用する壁掛け型物干しに関するものである。
【０００２】
【従来の技術】
ベランダの壁や手摺り等に布団やシーツ等の広いものを掛けるときは、通常、壁等に布団等を直接掛ける。そして、風等で飛ばないように、布団ばさみで固定する。
【０００３】
【考案が解決しようとする課題】
しかしながら、ベランダの壁等に布団等を直接掛ける場合は、布団等が壁等に密着してしまって通気性が悪く、乾燥に時間がかかってしまう。
【０００４】
また、壁等に埃等がたまっている場合は、布団等が汚れてしまうため、予め壁等を掃除したり、汚れてもいいものを壁等に掛けてそ上から布団等を掛ける必要があった。
【０００５】
本考案は、上述の問題点に鑑みてなされたもので、通気性に優れ、布団等の汚れを防止できる壁掛け型物干しを提供することを目的とする。
【０００６】
【課題を解決するための手段】
前述した課題を解決するために第１の考案に係る壁掛け型物干しは、壁や手摺り等の壁部に布団やシーツ等の面積の広いものを掛けるための壁掛け型物干しにおいて、上記壁部の内側に位置して上記布団等を上記壁部の内側面から一定間隔を空けて支持する内側部材と、上記壁部の外側に位置して上記布団等を上記壁部の外側面から一定間隔を空けて支持する外側部材と、上記壁部の上側に位置して上記布団等を上記壁部の上側面から一定間隔を空けて支持すると共に上記内側部材及び外側部材と連結される天井部材と、上記壁部に取り付けられて上記互いに連結された内側部材、外側部材及び天井部材を着脱自在に支持する固定部材と
を備えて構成されたことを特徴とする。
【０００７】
上記構成により、天井部材に内側部材及び外側部材を連結した状態で、これらが固定部材によって壁部に支持される。そして、天井部材、内側部材及び外側部材を覆うように、布団等を掛ける。これにより、布団等は、壁部に接触せずに一定間隔を空けて支持され、通気性を確保すると共に埃等の付着を防止する。壁掛け型物干しを使用しないときは、固定部材から内側部材、外側部材及び天井部材を取り外し、邪魔にならない所に収納する。
【０００８】
第２の考案に係る壁掛け型物干しは、第１の考案に係る壁掛け型物干しにおいて、上記天井部材が、上記内側部材及び外側部材に回動可能に連結されたことを特徴とする。
【０００９】
上記構成により、内側部材、外側部材及び天井部材を薄く折り畳んで小さく収納することができる。
【００１０】
第３の考案に係る壁掛け型物干しは、第１の考案に係る壁掛け型物干しにおいて、上記内側部材又は外側部材の一方又は両方が、四角形の枠体によって構成されたことを特徴とする。
【００１１】
上記構成により、四角形の枠体によって構成された内側部材又は外側部材が、布団やシーツ等の面積の広いものを安定して支持することができる。
【００１２】
第４の考案に係る壁掛け型物干しは、第１ないし３の考案のいずれかに係る壁掛け型物干しにおいて、上記内側部材又は外側部材の一方又は両方が、格子又は網を備えて構成されたことを特徴とする。
【００１３】
上記構成により、格子又は網によって、通気性を確保しながら、布団やシーツ等の面積の広いものを安定して支持することができる。
【００１４】
第５の考案に係る壁掛け型物干しは、第１ないし第４の考案のいずれかに係る壁掛け型物干しにおいて、上記天井部材、内側部材又は外側部材のいずれか１又は２以上に、布団等を支持する紐を設けたことを特徴とする。
【００１５】
上記構成により、上記紐で布団等を支持することで、布団等がずれたり、風で飛ばされたりすることを防止する。
【００１６】
第６の考案に係る壁掛け型物干しは、第５の考案に係る壁掛け型物干しにおいて、上記紐が二分割され、その各基端部が上記天井部材、内側部材又は外側部材にそれぞれ固定され、各先端部にバックルが設けられたことを特徴とする。
【００１７】
上記構成により、バックルを外して各紐を両側へ開き、布団等を掛けた状態でその上側からバックルを結合させる。これにより、紐を布団等に容易に掛けることができると共に、布団等がずれたり、風で飛ばされたりすることがなくなる。
【００１８】
第７の考案に係る壁掛け型物干しは、第１ないし第６の考案のいずれかに係る壁掛け型物干しにおいて、上記固定部材が、上記壁部の内外側面を挟み持つことで壁部に固定される固定金具と、当該固定金具に設けられた嵌合部と、上記内側部材、外側部材又は天井部材のいずれかに設けられて上記嵌合部に着脱自在に嵌合することで上記互いに連結された内側部材、外側部材及び天井部材を上記壁部に取り付ける被嵌合部とを備えて構成されたことを特徴とする。
【００１９】
上記構成により、固定金具を壁部に固定する。そして、固定金具の嵌合部に被嵌合部を嵌合させて、互いに連結された内側部材、外側部材又は天井部材を壁部に取り付ける。互いに連結された内側部材、外側部材又は天井部材を壁部から取り外すときは、被嵌合部を固定金具の嵌合部から外す。次いで、内側部材、外側部材又は天井部材を壁部から取り外す。これにより、内側部材、外側部材又は天井部材を、壁部に対して容易に取り付け、取り外すことができる。
【００２０】
第８の考案に係る壁掛け型物干しは、第７の考案に係る壁掛け型物干しにおいて、上記嵌合部が上記被嵌合部に嵌合された状態で、嵌合部が抜けるのを防止する抜け止め用ピンを設けたことを特徴とする。
【００２１】
上記構成により、嵌合部を被嵌合部に嵌合させた状態で抜け止め用ピンを取り付けることにより、嵌合部が抜けるのを防止することができる。
【００２２】
第９の考案に係る壁掛け型物干しは、第７又は第８の考案に係る壁掛け型物干しにおいて、上記固定金具が、上記壁部の内側面から上側面に掛けられる一側Ｌ字型片と、上記壁部の外側面から上側面に掛けられると共に上側面に位置する部分が上記一側Ｌ字型片と互いに接合される他側Ｌ字型片と、上記壁部の上側面で互いに接合した上記一側Ｌ字型片及び上記他側Ｌ字型片を上記壁部の厚さに合わせて一体的に固定する固定ネジと、上記一側Ｌ字型片又は上記他側Ｌ字型片に支持された状態で上記壁部の内側面又は外側面に圧接する押え部とを備えて構成されたことを特徴とする。
【００２３】
上記構成により、壁部の内側面から上側面にかけて一側Ｌ字型片を掛け、壁部の外側面から上側面にかけて他側Ｌ字型片を掛ける。このとき、他側Ｌ字型片の上側面に位置する部分が一側Ｌ字型片内に挿入されて互いに嵌合される。他側Ｌ字型片を一側Ｌ字型片に対して出し入れさせて壁部の厚さに合わせ、固定ネジで一体的に固定する。次いで、押え部を壁部の内側面又は外側面に圧接させて、固定金具を壁部に固定する。
【００２４】
第１０の考案に係る壁掛け型物干しは、第９の考案に係る壁掛け型物干しにおいて、上記一側Ｌ字型片と他側Ｌ字型片とがスライド可能に接合され、上記壁部の厚さに合わせて一側Ｌ字型片及び他側Ｌ字型片の間隔を調整することを特徴とする。
【００２５】
上記構成により、様々な厚さの壁部に対して、一側Ｌ字型片と他側Ｌ字型片とをスライドさせてこれらのの間隔を調整し、壁部の厚さに合わせる。
【００２６】
第１１の考案に係る壁掛け型物干しは、第９又は第１０の考案に係る壁掛け型物干しにおいて、上記押え部が平坦面状の壁面に圧接する平坦面状の圧接板を備えたことを特徴とする。
【００２７】
上記構成により、押え部の圧接板を壁部の平坦面状の内側面又は外側面に圧接する。これにより、固定金具を壁部に確実に固定することができる。
【００２８】
第１２の考案に係る壁掛け型物干しは、第９又は第１０の考案に係る壁掛け型物干しにおいて、上記押え部が曲面状の壁面に圧接する曲面状の圧接板を備えたことを特徴とする。
【００２９】
上記構成により、押え部の圧接板を壁部の曲面状の内側面又は外側面に圧接する。これにより、固定金具を壁部に確実に固定することができる。
【００３０】
第１３の考案に係る壁掛け型物干しは、第９ないし第１２のいずれかの考案に係る壁掛け型物干しにおいて、上記一側Ｌ字型片及び他側Ｌ字型片を構成する縦部材及び横部材が異なる寸法に設定され、上記壁部の厚さに合わせて縦横を付け替えることを特徴とする。
【００３１】
上記構成により、壁部の厚さが厚い場合には、縦部材及び横部材のうち長い方を壁部の上側面に配設する。壁部の厚さが薄い場合には、縦部材及び横部材のうち短い方が壁部の上側面に位置するように付け替える。これにより、種々の厚さの壁部に対応することができる。
【００３２】
【考案の実施の形態】
以下、本考案に係る壁掛け型物干しについて、図面を参照しながら説明する。
【００３３】
図１は本実施形態に係る壁掛け型物干しを示す斜視図、図２は本実施形態に係る壁掛け型物干しの内側部材及び固定部材の一部を示す斜視図、図３は本実施形態に係る壁掛け型物干しの内側部材及び外側部材のパイプを示す斜視図、図４は本実施形態に係る壁掛け型物干しの固定部材を示す斜視図、図５は本実施形態に係る壁掛け型物干しの天井部材を示す斜視図、図６は本実施形態に係る壁掛け型物干しの固定部材の一部を示す斜視図、図７は本実施形態に係る壁掛け型物干しの固定部材の一部を示す斜視図、図８は本実施形態に係る壁掛け型物干しの固定部材が取り付けられた状態を示す断面図、図９は本実施形態に係る壁掛け型物干しの固定部材が取り付けられた状態を示す断面図、図１０は本実施形態に係る壁掛け型物干しを壁部に取り付ける態様を示す斜視図、図１１は本実施形態に係る壁掛け型物干しを壁部に取り付けた状態を示す斜視図、図１２は本実施形態に係る壁掛け型物干しに布団を掛けた状態を示す斜視図、図１３は本実施形態に係る壁掛け型物干しを壁部から取り外した状態を示す斜視図、図１４は本実施形態に係る壁掛け型物干しの他の使用態様を示す斜視図、図１５は本実施形態に係る壁掛け型物干しの変形例を示す斜視図である。
【００３４】
本実施形態に係る壁掛け型物干し１は、図１に示すように、ベランダの壁のような低い壁（場合によっては高い壁）や手摺り等の壁部２（図１２参照）に、布団３（図１２参照）やシーツ等の面積の広いものを掛けるための物干しである。この壁掛け型物干し１は主に、内側部材４と、外側部材５と、天井部材６と、固定部材７とから構成されている。
【００３５】
内側部材４は、壁部２の内側に位置して布団３等を壁部２の内側面から一定間隔を空けて支持するための部材である。内側部材４は、四角形の枠体によって構成されている。内側部材４は具体的には、パイプ１０と、継ぎ手１１と、回動継ぎ手１２とから構成されている。
【００３６】
パイプ１０は、図２，３に示すように、内側部材４の四角形枠体を構成するための管材である。パイプ１０は、内側部材４の寸法に合わせて適宜設定される。内側部材４が正方形の場合は縦横のパイプ１０は同じ寸法になる。内側部材４が長方形の場合は縦横のパイプ１０で寸法が異なる。
【００３７】
継ぎ手１１は、図１，２に示すように、２つのパイプ１０を直角に維持して固定するための部材である。継ぎ手１１には、挿入された２つのパイプ１０をネジ１３（図４参照）で固定するための２つのネジ穴１４がそれぞれ設けられている。
【００３８】
回動継ぎ手１２は、図２，４に示すように継ぎ手１１と同様に、２つのパイプ１０を直角に維持して固定すると共に、内側部材４を天井部材６に対して回動可能に支持するための部材である。回動継ぎ手１２には、継ぎ手１１と同様のネジ穴１４が設けられている。さらに、回動継ぎ手１２には、後述する天井部材６の支持管９に回動可能に嵌合する支持管嵌合部１５が設けられている。支持管嵌合部１５は、基端側フランジ部１６と、先端側フランジ部１７と、中間筒部１８とから構成されている。基端側フランジ部１６は、支持管嵌合部１５が支持管９に挿入された状態でその基端側に当接するための部材である。先端側フランジ部１７は、支持管嵌合部１５が支持管９に挿入された状態でその先端側に当接するための部材である。先端側フランジ部１７は、複数に分割されてその直径を縮めることができるようになっている。中間筒部１８は、各先端側フランジ部１７を支持するための部材である。中間筒部１８は、円筒状の弾性板材を先端側フランジ部１７と同じ個数に縦に分割されている。そして、分割された各弾性板材が各先端側フランジ部１７を支持している。各中間筒部１８が内側へ撓むことで、先端側フランジ部１７の直径が縮んで、支持管９内に挿入できるようになっている。先端側フランジ部１７は、支持管９内に完全に挿入された状態（図４の状態）で支持管９の反対側で開いて、支持管９が基端側フランジ部１６と先端側フランジ部１７とで挟み持たれて抜けないようになっている。さらに、中間筒部１８の内径は、支持管９に嵌合された状態で、パイプ１０の外径よりも僅かに小さくなるように設定されている。これにより、回動継ぎ手１２が支持管９に挿入され、回動継ぎ手１２の中間筒部１８にパイプ１０が挿入されることで、パイプ１０は回動継ぎ手１２に確実に支持され、回動継ぎ手１２は支持管９に回動可能に支持されるようになっている。
【００３９】
外側部材５は、壁部２の外側に位置する布団３等を壁部２の外側面から一定間隔を空けて支持するための部材である。外側部材５は、内側部材４と同様に四角形の枠体によって構成されている。具体的には、内側部材４と同様に、パイプ１０と、継ぎ手１１と、回動継ぎ手１２とから構成されている。
【００４０】
天井部材６は、壁部２の上側に位置する布団３等を壁部２の上側面から一定間隔を空けて支持するための部材である。この天井部材６は２つ設けられている。各天井部材６は、内側部材４及び外側部材５の大きさに応じた距離だけ離した状態で対向して設けられている。天井部材６は円弧状の板材によって構成されている。天井部材６の下側面は、壁部２の上端面に当接して、全体を支持する支持面となっている。天井部材６の両端部には支持管９が設けられている。この支持管９は、内側部材４及び外側部材５を回転可能に支持するための部材である。各天井部材６の上側の中央部には帯紐１９がそれぞれ取り付けられている。帯紐１９は布団３等を支持するための紐である。帯紐１９は二分割され、その各基端部が各天井部材６に固定されている。各帯紐１９の先端部にはバックル２０が設けられている。各帯紐１９は、バックル２０によって連結されることで、壁掛け型物干し１に掛けられた布団３等の上側に掛け渡される。これにより、各天井部材６で布団３等の左右を、連結された各帯紐１９で布団３等の上側を支持して、布団３等が風等でずれたり飛んだりしないようになっている。
【００４１】
天井部材６の両端部の支持管９の間隔は、壁部２の厚さと、壁部２と布団３等との間の空間の距離とを考慮して設定される。さらに、支持管９の高さは、この支持管９に通される内側部材４及び外側部材５の各パイプの上端が壁部２の上端面よりも上方に位置するように設定されている。
【００４２】
固定部材７は、内側部材４を壁部２に着脱自在に支持するための部材である。この固定部材７で内側部材４を直接的に固定して支持することで、外側部材５及び天井部材６を含む全体を支持するようにようになっている。固定部材７は、図４に示すように、固定金具２１と、嵌合部２２と、被嵌合部２３とから構成されている。
【００４３】
固定金具２１は、壁部２の内外側面を挟み持つことで、壁部２に固定されるための部材である。固定金具２１は、図６〜図９に示すように、一側Ｌ字型片２５と、他側Ｌ字型片２６と、固定ネジ２７と、押え部２８とから構成されている。
【００４４】
一側Ｌ字型片２５は、Ｌ字型に形成されて、壁部２の内側面から上側面に掛けられる部材である。一側Ｌ字型片２５は断面コ字状に形成されている。断面コ字状の一側Ｌ字型片２５の寸法は、他側Ｌ字型片２６の外側寸法よりも僅かに大きく設定されている。これにより、一側Ｌ字型片２５内に他側Ｌ字型片２６が挿入されて互いにスライド可能に接合されるようになっている。スライド可能に接合された一側Ｌ字型片２５及び他側Ｌ字型片２６によって、種々の厚さの壁部２に合わせて間隔を調整できるようになっている。一側Ｌ字型片２５の横部材には長穴２５Ａが設けられている。この長穴２５Ａは、一側Ｌ字型片２５と他側Ｌ字型片２６との間でのスライドを許容するための穴である。
【００４５】
他側Ｌ字型片２６は、Ｌ字型に形成されて、壁部２の外側面から上側面に掛けられる部材である。他側Ｌ字型片２６は、一側Ｌ字型片２５と同様に、断面コ字状に形成されている。他側Ｌ字型片２６の寸法は、断面コ字状の一側Ｌ字型片２５の内側寸法よりも僅かに小さく設定されて、一側Ｌ字型片２５にスライド可能に接合されている。このスライド可能な一側Ｌ字型片２５及び他側Ｌ字型片２６によって、種々の厚さの壁部２に合わせて間隔を調整できるようになっている。他側Ｌ字型片２６の横部材には長穴２６Ａが、縦部材には長穴２６Ｂが設けあられている。長穴２６Ａ及び長穴２６Ｂは異なる寸法に設定されている。さらに、横部材及び縦部材も異なる寸法に設定され、壁部２の厚さに合わせて縦横を付け替えることができるようになっている。
【００４６】
固定ネジ２７は、壁部２の上側面で互いに接合した一側Ｌ字型片２５及び他側Ｌ字型片２６を壁部２の厚さに合わせて一体的に固定するための部材である。一側Ｌ字型片２５に他側Ｌ字型片２６が嵌合した状態で、長穴２５Ａと長穴２６Ａとが重なり、これらを通して固定ネジ２７で一側Ｌ字型片２５と他側Ｌ字型片２６とが互いに固定されるようになっている。
【００４７】
押え部２８は、一側Ｌ字型片２５に支持された状態で壁部２の内側面に圧接するための部材である。押え部２８は、取っ手２８Ａの付いたネジ棒２８Ｂと、平坦面状の壁面２に圧接する平坦面状の圧接板（図示せず）とから構成されている。
【００４８】
嵌合部２２は、被嵌合部２３と嵌合することで、壁掛け型物干し１を壁部２に支持するための部材である。嵌合部２２は、固定金具２１の一側Ｌ字型片２５の縦部材に設けられた筒体によって構成されている。
【００４９】
被嵌合部２３は、嵌合部２２に着脱自在に嵌合することで、壁掛け型物干し１を壁部２に支持するための部材である。被嵌合部２３は、図２，４に示しように、把持部２３Ａと、締め付けネジ２３Ｂと、嵌合筒部２３Ｃと、抜け止め用ピン２３Ｄとから構成されている。把持部２３Ａは、内側部材４のパイプ１０に固定するための部材である。把持部２３Ａは、一方が割れた筒体で構成され、パイプ１０に嵌合して把持するようになっている。締め付けネジ２３Ｂは、把持部２３Ａの一端に取り付けられ、締め付けることで把持部２３Ａをパイプ１０に固定するための部材である。嵌合筒部２３Ｃは、嵌合部２２に直接に嵌合する筒体である。嵌合筒部２３Ｃの外径は、嵌合部２２の内径よりも僅かに小さく設定されている。嵌合筒部２３Ｃの先端には、抜け止め用ピン２３Ｄの嵌合穴が設けられている。抜け止め用ピン２３Ｄは、被嵌合部２３が嵌合部２２に嵌合した状態で、嵌合部２２から抜けないようにするための部材である。
【００５０】
［動作］
以上のように構成された壁掛け型物干し１は、次のようにして使用する。
【００５１】
まず、図１０に示すように、壁部２に固定金具２１を取り付ける。壁部２の厚さに合わせて、一側Ｌ字型片２５と他側Ｌ字型片２６との間隔を調整して固定ネジ２７で固定する。次いで、押え部２８のネジ棒２８Ｂをねじ込んで、圧接板を壁面２に圧接させて固定する。
【００５２】
次いで、図１１に示すように、被嵌合部２３の嵌合筒部２３Ｃを嵌合部２２に嵌合させて抜け止め用ピン２３Ｄを取り付ける。
【００５３】
次いで、バックル２０を外して各帯紐１９を両側へ開き、布団３を掛けて、図１２に示すように、バックル２０を結合させて、布団３の上に帯紐１９を掛ける。
【００５４】
壁掛け型物干し１を使用しないときは、図１３に示すように、抜け止め用ピン２３Ｄを抜いて、被嵌合部２３の嵌合筒部２３Ｃを嵌合部２２から抜き取り、壁掛け型物干し１を壁部２から取り外す。
【００５５】
次いで、内側部材４、外側部材５及び天井部材６を折り畳んで薄くして、邪魔にならないように収納する。
【００５６】
なお、壁部２の上側に手摺りが付いている場合は、図１４に示すように、被嵌合部２３の取り付け位置を下げて、天井部材６が手摺りの上側に位置するようにして取り付ける。
【００５７】
［効果］
以上のように、布団３を壁部２から離して掛けることができるため、通気性に優れ、短時間で布団を乾燥させることできる。
【００５８】
さらに、布団３は壁部２と接触しないため、壁部２の埃等によって汚れるのを確実に防止することができる。
【００５９】
［変形例］
上記実施形態では、内側部材４及び外側部材５を四角形の枠体に構成したが、内側部材４及び外側部材５は布団３等を壁部２から離して支持できればよいため、平板状にしたり、格子状、網状にしてもよい。これにより、通気性に優れて、布団３等を確実に支持することができる。
【００６０】
上記実施形態では、固定部材７の被嵌合部２３を内側部材４に設けたが、外側部材５や天井部材６に設けても良い。この場合も、上記実施形態同様に作用、効果を奏することができる。
【００６１】
上記実施形態では、帯紐１９を天井部材６に設けたが、内側部材４や外側部材５に設けても良い。この場合も、上記実施形態同様に作用、効果を奏することができる。
【００６２】
上記実施形態では、他側Ｌ字型片２６の縦部材を横部材よりも短い寸法に設定したが、縦部材と横部材のいずれを長くしても良い。長さの比率は、使用態様に応じて適宜設定する。
【００６３】
上記実施形態では、壁部２が平坦面状に場合を例に説明したが、図１５に示すように、円形筒状の手摺り等の場合は、曲面状の壁面に合わせて圧接板３１を曲面状の湾曲させて構成する。種々の曲面に合わせて圧接板３１を構成する。これにより、種々の態様に壁部２に壁掛け型物干し１を取り付けることができる。
【００６４】
【考案の効果】
以上、詳細に説明したように本考案によれば、次のような効果を奏することができる。
【００６５】
布団等を壁部から離して掛けることができるため、通気性に優れ、短時間で布団を乾燥させることできる。
【００６６】
さらに、布団等は壁部と接触しないため、壁部等の埃等によって汚れるのを確実に防止することができる。
【図面の簡単な説明】
【図１】本考案の実施形態に係る壁掛け型物干しを示す斜視図である。
【図２】本考案の実施形態に係る壁掛け型物干しの内側部材及び固定部材の一部を示す斜視図である。
【図３】本考案の実施形態に係る壁掛け型物干しの内側部材及び外側部材のパイプを示す斜視図である。
【図４】本考案の実施形態に係る壁掛け型物干しの固定部材を示す斜視図である。
【図５】本考案の実施形態に係る壁掛け型物干しの天井部材を示す斜視図である。
【図６】本考案の実施形態に係る壁掛け型物干しの固定部材の一部を示す斜視図である。
【図７】本考案の実施形態に係る壁掛け型物干しの固定部材の一部を示す斜視図である。
【図８】本考案の実施形態に係る壁掛け型物干しの固定部材が取り付けられた状態を示す断面図である。
【図９】本考案の実施形態に係る壁掛け型物干しの固定部材が取り付けられた状態を示す断面図である。
【図１０】本考案の実施形態に係る壁掛け型物干しを壁部に取り付ける態様を示す斜視図である。
【図１１】本考案の実施形態に係る壁掛け型物干しを壁部に取り付けた状態を示す斜視図である。
【図１２】本考案の実施形態に係る壁掛け型物干しに布団を掛けた状態を示す斜視図である。
【図１３】本考案の実施形態に係る壁掛け型物干しを壁部から取り外した状態を示す斜視図である。
【図１４】本考案の実施形態に係る壁掛け型物干しの他の使用態様を示す斜視図である。
【図１５】本考案の実施形態に係る壁掛け型物干しの変形例を示す斜視図である。
【符号の説明】
１：壁掛け型物干し、２：壁部、３：布団、４：内側部材、５：外側部材、６：天井部材、７：固定部材、１０：パイプ、１１：継ぎ手、１２：回動継ぎ手。
【図１】
0003098076.tif 000003
【図２】
0003098076.tif 000004
【図３】
0003098076.tif 000005
【図４】
0003098076.tif 000006
【図５】
0003098076.tif 000007
【図６】
0003098076.tif 000008
【図７】
0003098076.tif 000009
【図８】
0003098076.tif 000010
【図９】
0003098076.tif 000011
【図１０】
0003098076.tif 000012
【図１１】
0003098076.tif 000013
【図１２】
0003098076.tif 000014
【図１３】
0003098076.tif 000015
【図１４】
0003098076.tif 000016
【図１５】
0003098076.tif 000017